(57)【要約】【課題】光の利用効率を高くし、射出面における射出光強度の均一性を高くし、さらに射出光の角度範囲を自在に制御することが可能な、簡便な構成の照明装置を提供すること。【解決手段】光源１２と、光源１２から入射した光を導光し、導光された光を射出面２６から射出する平面状の導光板１０とを備えた照明装置１６において、回折格子から構成され、射出面２６または射出面２６の対向面２７に、導光板１０の光入射側１１から離れるに従って配置密度が大きくなるように配置された射出用光学素子３８と、射出用光学素子３８が配置された面に、導光板１０の光入射側１１から離れるに従って配置密度が小さくなるように配置された拡散性光学素子３９とを備えている。【選択図】      図１
2006040627.tif 000002
【特許請求の範囲】
【請求項１】
光源と、前記光源から入射した光を導光し、前記導光された光を射出面から射出する平面状の導光板とを備えた照明装置において、
回折格子から構成され、前記射出面または前記射出面の対向面に、前記導光板の光入射側から離れるに従って配置密度が大きくなるように配置された射出用光学素子と、
前記射出用光学素子が配置された面に、前記導光板の光入射側から離れるに従って配置密度が小さくなるように配置された拡散性光学素子と
を備えた照明装置。
【請求項２】
請求項１に記載の照明装置において、
前記射出用光学素子および拡散性光学素子が配置された面に複数のセルを配置し、前記射出用光学素子および前記拡散性光学素子が、前記複数のセルのうちの何れかに配置されるようにし、前記射出用光学素子が配置されたセル、および前記拡散性光学素子が配置されたセルの配置個数および／または大きさを調整することにより、前記射出用光学素子の配置密度が前記光入射側から離れるに従って大きくなり、前記拡散性光学素子の配置密度が前記光入射側から離れるに従って小さくなるようにした照明装置。
【請求項３】
請求項２に記載の照明装置において、
前記射出用光学素子が配置されたセルの、前記導光板内を導光される光の平均導光方向の大きさを５μｍ以上１００μｍ以下とした照明装置。
【請求項４】
請求項２または請求項３に記載の照明装置において、
前記拡散性光学素子が配置されたセルの、前記導光板内を導光される光の平均導光方向に直交する方向の大きさを１μｍ以上１００μｍ以下とした照明装置。
【請求項５】
請求項１に記載の照明装置において、
前記射出用光学素子の配置密度が前記光入射側から離れるに従って大きくなり、前記拡散性光学素子の配置密度が前記光入射側から離れるに従って小さくなるように、前記射出用光学素子および拡散性光学素子が配置された面に、前記射出用光学素子が配置された第１の領域と、前記拡散性光学素子が配置された第２の領域とを交互に入り組んで配置するようにした照明装置。
【請求項６】
請求項１に記載の照明装置において、
前記射出用光学素子の配置密度が前記光入射側から離れるに従って大きくなり、前記拡散性光学素子の配置密度が前記光入射側から離れるに従って小さくなるように、前記射出用光学素子および拡散性光学素子が配置された面に、前記射出用光学素子と前記拡散性光学素子とを入り交じるように配置するようにした照明装置。
【請求項７】
請求項１乃至６のうちの何れか１項に記載の照明装置において、
前記射出用光学素子は、前記導光板内を導光される光の方向を、前記射出面に対する法線方向に近づけるように曲げ、前記拡散性光学素子は、前記導光板内を導光される光を、前記導光板内を導光される光の平均導光方向に対する直交方向に拡散するようにした照明装置。
【請求項８】
請求項１乃至７のうちの何れか１項に記載の照明装置において、
前記射出用光学素子と前記拡散性光学素子とをレリーフ構造によって形成した照明装置。
【発明の詳細な説明】
【技術分野】
【０００１】
本発明は、照明装置に係り、更に詳しくは、光源からの光を導光して射出面より射出する導光板を備えた面状の照明装置に関する。
【背景技術】
【０００２】
通常、透過型のＬＣＤパネルの背面に用いられる照明光源である所謂バックライトには、光源からの光を均一にＬＣＤパネルに導くために、透明樹脂からなる導光板が用いられている。図１５に示すように、この種の導光板１０に光源１２が配置されてなる照明装置１４では、導光板１０の光入射側端面１１から導光板１０内に入射した光は、導光板１０の平面部を全反射しながら、図中矢印Ｆ方向に沿って導光板１０内を進む。なお、図１５は、光源１２として線状の光源を用いた例を示しているが、光源１２の形状は線状に限るものではなく、例えば点状であってもよい。導光板１０の平面部には所々にプリズム１３が設けられ、プリズム１３に当たった光は、図中矢印Ｅに示す射出方向に従って、導光板１０から図中上方側へ向かって射出される。
【０００３】
図１６に示すように、この照明装置１４の導光板１０の上部に透過型のＬＣＤパネル１８を配置し、導光板１０から図中矢印Ｅに示す射出方向に従って射出した光を透過させることによって画像を表示する表示装置２４が形成される。
【０００４】
なお、図１５および図１６に示すように背面にプリズム１３が設けられた導光板１０に係る公知例としては、例えば下記特許文献１がある。
【０００５】
一方、プリズム１３を用いない照明装置の例としては、導光板１０の面に散乱性のドットを印刷することにより、光を拡散射出する方法もある。
【特許文献１】特開平５−２６４８１９号公報
【発明の開示】
【発明が解決しようとする課題】
【０００６】
しかしながら、このような照明装置１４は、射出面２６内の光強度を均一にしながら、光源１２から導光板１０に入射する光を射出光へ変換する割合を高くすることが困難であり、透過型ＬＣＤパネル１８のバックライトなどとして利用する際に光の利用効率（光源１２から導光板１０に入射した光のうち、照明光として望ましい角度範囲の射出光に変換される割合）が低いという問題がある。
【０００７】
特にＬＣＤパネル１８のバックライトとしては、射出面２６の法線方向に強い光を出すことが望まれるが、従来技術では光源１２と導光板１０の組み合わせのみによってこれを実現することは極めて難しい。導光板１０からの射出光を適切な光分布へと変換するために、導光板１０と透過型表示素子の間に各種の光学フィルムを挿入する方法も提案されているが、これでは表示装置の厚みが増してしまい、製造コストも嵩んでしまうという別の問題が生じる。
【０００８】
また、プリズム１３を用いる場合には構造が比較的大きいために目視観察時にプリズム１３の配置パターンを隠すのが困難であること、またプリズム１３によって導光板１０の厚みが厚くなること、射出光の射出角度範囲や射出光強度を自由に制御することができないなどの問題がある。
【０００９】
更に、導光板１０の光入射側端面１１に光源１２を設置した際に、光源１２に近い側と遠い側との光強度を一定にするのが困難である。特に、点状の光源もしくはムラのある光源の場合には、光入射側端面１１から光源１２に遠い側の端面に光が向かう平均的な方向である平均導光方向（導光板内を導光する光の平均的な方向）Ｆと直交する方向における射出光の分布の均一性と光の利用効率を共に高くすることは一層困難である。
【００１０】
本発明はこのような事情に鑑みてなされたものであり、その目的は、光の利用効率を高くし、射出面における射出光強度の均一性を高くし、さらに射出光の角度範囲を自在に制御することが可能な簡便な構成の照明装置を提供することにある。
【課題を解決するための手段】
【００１１】
上記の目的を達成するために、本発明では、以下のような手段を講じる。
【００１２】
すなわち、請求項１の発明は、光源と、光源から入射した光を導光し、導光された光を射出面から射出する平面状の導光板とを備えた照明装置において、回折格子から構成され、射出面または射出面の対向面に、導光板の光入射側から離れるに従って配置密度が大きくなるように配置された射出用光学素子と、射出用光学素子が配置された面に、導光板の光入射側から離れるに従って配置密度が小さくなるように配置された拡散性光学素子とを備えている。
【００１３】
従って、光源の大きさや配置個数、光源からの射出光量ムラに起因する導光板の光入射側における光量分布の不均一性（特に平均導光方向に直交する方向の不均一性）を、拡散性光学素子により拡散することにより解消しながら、平均導光方向に沿って導光板内を導光する光量が減少することを射出用光学素子の配置密度によって補償して射出光に変換するため、平均導光方向に沿っても導光板からの射出光量を均一にできる。
【００１４】
このとき、平均導光方向に直交する方向の不均一性は、一般的に光源から光が導光板に入射した直後が最も大きく、また導光する光が一度均一になれば、その後は均一な導光状態を保ちやすいので、導光板の光入射側付近で不均一性を解消することが最も望ましい。請求項１の発明では、拡散性光学素子を導光板の光入射側において配置密度を大きくすることで十分な均一性を実現し、また均一性が高くなるに連れて配置密度を減らして配置することにより、導光板全体で十分な均一性が得られるようにしている。更に、導光板の射出面もしくはその対向面に拡散性光学素子と射出用光学素子を無理なく配置することが可能となり、容易に高い均一性を得ることができる。
【００１５】
また、射出用光学素子が回折格子から構成されていることにより、構造が極めて微小であり、また微細加工技術などにより容易に任意の領域に形成可能であるため、導光板上の配置が最適化でき、極めて均一な射出光分布を有する導光板を構成することが可能である。
【００１６】
加えて、回折格子の機能により射出光の角度範囲を適宜設計でき、必ずしも他の光学フィルムなどを用いること無しに、望ましい角度範囲の射出光分布を有する均一な照明装置を少ない部材構成で実現することが可能となる。しかもこれらの光学的効果は導光板上の単一面で実現されているため、射出用光学素子と拡散性光学素子の配置位置関係を高精度に保ちながら、極めて容易に製造することも可能である。
【００１７】
請求項２の発明は、請求項１の発明の照明装置において、射出用光学素子および拡散性光学素子が配置された面に複数のセルを配置し、射出用光学素子および拡散性光学素子が、複数のセルのうちの何れかに配置されるようにする。そして、射出用光学素子が配置されたセル、および拡散性光学素子が配置されたセルの配置個数および／または大きさを調整することにより、射出用光学素子の配置密度が光入射側から離れるに従って大きくなり、拡散性光学素子の配置密度が光入射側から離れるに従って小さくなるようにしている。
【００１８】
従って、導光板の各位置における射出用光学素子および／または拡散性光学素子の配置密度を、セルの配置個数および／またはセルの大きさの設定により、簡便に最適化することが可能となり、簡便かつ正確に均一な射出光分布を実現することが可能となる。
【００１９】
請求項３の発明は、請求項２の発明の照明装置において、射出用光学素子が配置されたセルの、導光板内を導光される光の平均導光方向の大きさを５μｍ以上１００μｍ以下とする。
【００２０】
従って、平均導光方向において、射出用光学素子から射出する光をそのセルの大きさに応じて拡げる（特定方向においてセルが小さいほど、当該方向に光が拡がる）ことができ、照明装置としての射出角度範囲を調整することができる。これは、射出用光学素子を構成する回折格子が単純な回折格子である場合にも、回折格子がレンズのような作用を有し、光を拡げる機能を有する場合にも有効である。更に、光源から導光板に入射する光が白色光である場合に、回折格子の分光作用を、セルの大きさによって光を拡げる効果によって顕著でなくすことができ、より均一な波長分布の射出光を実現できる。セルの大きさは５μｍ以上であれば回折格子が十分な機能を発揮し、また１００μｍ以下であれば、目視で射出面を観察したときにも十分に均一と感じられるようにセルを配置することができる。
【００２１】
請求項４の発明は、請求項２または請求項３の発明の照明装置において、拡散性光学素子が配置されたセルの、導光板内を導光される光の平均導光方向に直交する方向の大きさを１μｍ以上１００μｍ以下とする。
【００２２】
従って、平均導光方向に直交する方向において、拡散性光学素子から射出する光をそのセルの大きさに応じて拡げることができ、導光板内の平均導光方向に直交する方向の光量分布を均一にすることができる。これは、拡散性光学素子自身の拡散機能に加えて、更に光を拡散するため、一層の均一化が図れることを意味する。セルの大きさが小さいほどセルの大きさによる拡散効果は大きくなり、実質的に１μｍ以上であれば内部に拡散性光学素子を形成でき、また１００μｍ以下であれば拡散効果が十分になると共に、目視で射出面を観察したときにも十分に均一と感じられるようにセルを配置することができる。
【００２３】
請求項５の発明は、請求項１の発明の照明装置において、射出用光学素子の配置密度が光入射側から離れるに従って大きくなり、拡散性光学素子の配置密度が光入射側から離れるに従って小さくなるように、射出用光学素子および拡散性光学素子が配置された面に、射出用光学素子が配置された第１の領域と、拡散性光学素子が配置された第２の領域とを交互に入り組んで配置する。
【００２４】
従って、射出用光学素子が導光板の光入射側から離れるに従って配置密度が大きくなり、拡散性光学素子が導光板の光入射側から離れるに従って配置密度が小さくなるようにすることが容易に実現でき、導光板の射出面内で均一な射出光分布を極めて容易かつ確実に得ることができる。
【００２５】
請求項６の発明は、請求項１の発明の照明装置において、射出用光学素子の配置密度が光入射側から離れるに従って大きくなり、拡散性光学素子の配置密度が光入射側から離れるに従って小さくなるように、射出用光学素子および拡散性光学素子が配置された面に、射出用光学素子と拡散性光学素子とを入り交じるように配置する。
【００２６】
従って、小領域に射出用光学素子と拡散性光学素子とが含まれやすくなり、導光板の射出面上の小さい領域同士の射出光の均一性が一層向上する。
【００２７】
請求項７の発明は、請求項１乃至６のうちの何れか１項の発明の照明装置において、射出用光学素子は、導光板内を導光される光の方向を、射出面に対する法線方向に近づけるように曲げ、拡散性光学素子は、導光板内を導光される光を、導光板内を導光される光の平均導光方向に対する直交方向に拡散する。
【００２８】
従って、導光する光を拡散性光学素子によって不用意に導光板外へ射出することを抑制しながら、光源の大きさや配置個数、光源からの射出光量ムラに起因する、平均導光方向に直交する方向の光量分布の不均一性を拡散性光学素子に確実に解消し、加えて、射出用光学素子によって導光板から射出光への変換を適切かつ確実に実現できる。
【００２９】
請求項８の発明は、請求項１乃至７のうちの何れか１項の発明の照明装置において、射出用光学素子と拡散性光学素子とをレリーフ構造によって形成する。
【００３０】
この時、射出用光学素子としては表面レリーフ型回折格子を、拡散性光学素子としてはランダムに配置された凹凸パターンを用いると、簡便に実現でき、好適である。特に後者としては、平均導光方向Ｆに平行な線状の凹凸をランダムに配置したものが、平均導光方向Ｆに対して直交する方向の光拡散，平均導光方向Ｆの方向の導光状態の不変性の双方が両立でき、最適である。
【００３１】
従って、導光板の射出面もしくはその対向面に形成する射出用光学素子と拡散性光学素子とが、両方共微小なレリーフ構造であるため、導光板の該当面に対する一度の成形で上述の効果を有する導光板を形成でき、簡便に安価に照明装置を構成することができる。また、射出用光学素子と拡散性光学素子とをレリーフ原版上に正確に配置形成しておけば、レリーフの複製物として、両光学素子が正確に配置された導光板を極めて安定して安価に作成することができ、製品間のバラツキの少ない照明装置を得ることができる。
【発明の効果】
【００３２】
以上説明したように、本発明によれば、光の利用効率を高くし、射出面における射出光強度の均一性を高くし、さらに射出光の角度範囲を自在に制御することが可能な照明装置を簡便な構成によって実現することができる。
【発明を実施するための最良の形態】
【００３３】
以下に、本発明を実施するための最良の形態について図面を参照しながら説明する。
【００３４】
（第１の実施の形態）
図１は、本発明の第１の実施の形態に係る照明装置の構成例を示す斜視図である。
【００３５】
すなわち、本実施の形態に係る照明装置１６は、光源１２と、光源１２から入射した光を導光し、導光された光を射出面２６から射出する平面状の導光板１０とを備えている。そして、射出面２６の対向面２７に、射出用光学素子３８と、拡散性光学素子３９とを備えている。
【００３６】
図２は、同実施の形態に係る照明装置における射出用光学素子及び拡散性光学素子の配置例を示した平面図である。図２に示すように、射出用光学素子３８は、例えば回折格子から構成され、射出面２６の対向面２７に、導光板１０の光入射側端面１１から離れるに従って配置密度が大きくなるように配置している。また、拡散性光学素子３９は、射出用光学素子３８が配置された同一面である対向面２７に、導光板１０の光入射側端面１１から離れるに従って配置密度が小さくなるように配置している。
【００３７】
なお、図１は、射出用光学素子３８および拡散性光学素子３９を射出面２６の対向面２７に配置した例を示しているが、射出用光学素子３８および拡散性光学素子３９を射出面２６の対向面２７に配置する代わりに、射出面２６に配置するようにしても良い。
【００３８】
このような構成をした本実施の形態に係る照明装置１６は、光源１２から入射した光を導光板１０によって導光し、この導光された光を拡散性光学素子３９によって拡散することによって、光源１２からの射出光量のムラに起因する導光板１０の光入射側端面１１側における光量分布の不均一性（特に平均導光方向Ｆに直交する方向Ｒの不均一性）を解消しながら、平均導光方向Ｆに沿って導光板１０内を導光する光量が減少することによる射出光の減少を射出用光学素子３８の配置密度によって補償する。これによって、射出面２６内で均一に光を射出するようにしている。
【００３９】
このとき、光入射側端面１１側から離れるに従って光量分布の不均一性は徐々に解消するので、拡散性光学素子３９は光入射側端面１１側から離れるに従って少なくしても十分な均一化が可能である。
【００４０】
また、射出用光学素子３８が回折格子から構成されていることにより、構造が極めて微小であり、また微細加工技術などにより容易に任意の領域に形成可能であるため、導光板１０上の配置を最適化することができる。したがって、図２に示すような配置構造を更に細かくすることによって、極めて均一な射出光分布を有する導光板１０を構成することが可能となる。
【００４１】
通常、均一に射出用光学素子を配置した導光板１０は、光入射側端面１１側ほど光の射出光強度は大きく、光源１２から離れ、逆側の端面に近づくほど射出光強度は小さくなる。このため、射出用光学素子３８を構成する回折格子の回折効率が一定の場合には、図２に示すように、導光板１０の平均導光方向Ｆにおいて、光入射側端面１１側から離れるほど射出用光学素子３８の配置密度を高めることにより、光強度の強い光入射側端面１１側において導光板１０から射出する光の割合を少なく、光入射側端面１１側から離れるほど射出割合を増加することができ、導光板１０の射出面２６全域に亘って均一な強度の光を射出することが可能となる。
【００４２】
更に、射出用光学素子３８を構成する回折格子の機能により射出光の角度範囲を適宜設計でき、必ずしも他の光学フィルムなどを用いることなしに、望ましい角度範囲の射出光分布を有する均一な照明装置を実現することが可能となる。
【００４３】
ここで、光源１２として光入射側端面１１にほぼ平行に配置された線状の光源１２を用いた場合、導光板１０における平均導光方向Ｆは、光入射側端面１１にほぼ直交する方向となる。また、図３に示すように、光源として、光入射側端面１１側に配置された点状のＬＥＤ等の光源１２ａを用いた場合、光源１２ａを中心とする放射方向に導光しようとするが、導光板１０全体に亘って平均すると線状の光源１２と同様に光入射側端面１１にほぼ直交する方向が平均導光方向Ｆとなる。
【００４４】
図４は、同実施の形態に係る照明装置における拡散性光学素子の機能を示した部分平面図である。この図は、照明装置１６において拡散性光学素子３９が、導光中の光を射出面２６に平行な面内に拡散している様子を示している。このとき、平均導光方向Ｆに直交する方向Ｒに強く拡散すると、光源１２の配置位置に由来する輝度ムラ等を解消して、導光板１０内を導光する光の分布を均一にできる。なお、導光する方向にはほとんど影響を与えないことにより、導光板１０から不用意に光を射出することなく、光を拡散できるので、光の利用効率を高めることができる。
【００４５】
図５は、同実施の形態に係る照明装置における射出用光学素子の機能を示した側面図である。この図は、図１の照明装置１６における射出用光学素子３８が、導光板１０内の光を射出する様子を示している。また、図６に示すように、透過型のＬＣＤパネル１８のバックライトとして本実施の形態に係る照明装置１６を利用する場合などには、射出用光学素子３８は導光中の光を、射出面２６にほぼ垂直な射出方向Ｅに射出する光に変換することが望ましいが、射出用光学素子３８として回折格子を利用することにより簡便にこれを実現する。
【００４６】
更に、回折格子の機能により、射出光の角度範囲を適宜設定することも可能であり、特に他の光学フィルムなどを用いなくても、ディスプレイとして最適な角度分布を持った照明光を実現することができる。
【００４７】
なお、図５では射出面２６の対向面２７に射出用光学素子３８と拡散性光学素子３９を配置する例を示したが、この場合は反射型の回折格子を用いることが望ましい。例えば、導光板の表面にレリーフ型回折格子を形成するだけでも良いし、その表面に金属反射膜を設けるなどしても良い。一方、射出面２６に射出用光学素子３８と拡散性光学素子３９を配置する場合は、回折格子を透過型とすれば、同様の効果が得られる。
【００４８】
また、射出用光学素子３８の回折格子としてレリーフ型回折格子を用いる場合、パターンの設計が容易であると共に、高効率化も容易である。このとき、レリーフ型回折格子の構造は、典型的には０．１〜１μｍ程度であるため、余計な突起のない、ほぼ平面と見なせる導光板１０を実現できる。すなわち、照明装置１６を薄くできる。
【００４９】
導光板１０内を導光する光のうち、射出用光学素子３８に入射した光は回折格子によって回折光を生じるが、通常の主要な回折光は１次回折光である。回折格子の微小領域において、回折格子の格子ピッチｄと、１次回折光の射出角度（回折角）θRとの関係は、下記（１）式により表される。  
【数１】
2006040627.tif 000003
【００５０】
ただし、ｍは回折次数、λは光の波長、θｉは正反射角度（回折格子が反射時に作用する場合）である。
【００５１】
導光板１０内を平均導光方向Ｆに進む光を射出光に変換するために、最も効果的に作用する回折格子は平均導光方向Ｆに沿って格子ベクトルｖを持つ場合である。すなわち、格子ベクトルｖの方向と平均導光方向Ｆとをほぼ同一あるいは１８０°異なる方向とし、格子ピッチｄを適切に設定することにより、全反射しながら平均導光方向Ｆに進む光が回折格子によってθRの角度で回折し、全反射条件を外れて導光板１０の射出面２６から射出して行く。特にθR〜０°とすると、導光板１０表面に対してほぼ垂直に照明光が射出し、透過型ディスプレイ用の照明光として最も好ましい。
【００５２】
射出用光学素子３８を構成する回折格子は、導光板１０を導光している光を回折光として射出するのみでなく、その回折光の拡がり方（射出角度範囲）を制御することも可能である。具体的には、図７（ａ）にその平面図、図７（ｂ）にその断面図を示すような直線状の回折格子４０のパターンは、平均導光方向Ｆに沿って導光される光を曲げる働きのみを持つ。また、図８（ａ）にその平面図、図８（ｂ）にその断面図を示すような曲線状の回折格子４１のパターンは、射出する回折光の範囲をそのパターンによって任意に設計できる。図７、図８において、ｘは、平均的な格子ベクトルｖに一致する方向、ｙは、ｘと直交する方向、ｈは、格子高さをそれぞれ示している。
【００５３】
ここで、導光板１０上での回折格子のパターンは、図７および図８に示すように、平均導光方向Ｆと、平均的な格子ベクトル方向ｖとを一致もしくは１８０°異なる方向にすると、全反射条件を満たす光に対して効果的に作用する構成とすることができる。すなわち、導光中の光に対して、射出光の方向を大きく異ならせることができ、確実に導光板１０から射出できるようになる。
【００５４】
更に、射出用光学素子３８と拡散性光学素子３９とがレリーフ構造によって構成されている場合、導光板１０と一体成形可能であり、また、単一面の成形のみでよいため、極めて簡便に安価に製造可能である。このとき、射出用光学素子３８と拡散性光学素子３９の配置位置は原版の製造時に決定し、原版の複製（成形）による量産時には常に互いの配置位置が安定して再現されるため、極めて高精度な導光板が容易に製造できる。
【００５５】
以上のように、本発明の実施の形態に係る照明装置１６から射出される光は、射出角度範囲が制御されており、射出面２６内で均一な分布を実現でき、その他の光学シートなど余分な構成物を追加する必要なく、光の利用効率が高く、薄く、安価な照明装置を提供できる。
【００５６】
なお、導光板１０は、図１に示すように平均導光方向Ｆに沿って進むにつれてその厚みが徐々に薄くなる場合のみならず、その厚みを一定とするような構成であっても良い。
【００５７】
また、図９に示すように、導光板１０の対向面２７の表面を覆うように反射体３２を配置することにより、対向面２７からの漏れ光を再び導光板１０側へ反射し再利用することができ、光の利用効率を一層高めることができる。
【００５８】
（第２の実施の形態）
本発明の第２の実施の形態に係る照明装置は、第１の実施の形態に係る照明装置の変形例であって、射出用光学素子３８および拡散性光学素子３９が配置された面に複数のセルを配置し、更に、射出用光学素子３８および拡散性光学素子３９が、複数のセルのうちの何れかに配置されるようにする。そして、射出用光学素子３８が配置されたセル、および拡散性光学素子３９が配置されたセルの配置個数または大きさを調整することにより、射出用光学素子３８の配置密度が光入射側端面１１から離れるに従って大きくなり、拡散性光学素子３９の配置密度が光入射側端面１１から離れるに従って小さくなるようにしている。
【００５９】
その一例を図１０に示す。図１０に示すように、導光板１０の射出面２６またはその対向面２７には、多数の射出用光学素子３８および拡散性光学素子３９が互いに入り交じって配置している。ここで、各射出用光学素子３８および各拡散性光学素子３９のおのおのがそれぞれセルに相当している。そして、拡散性光学素子３９からなるセルの配置個数を、光入射側端面１１側ほど多く、そこから平均導光方向Ｆの下流側に行くほど少なくなるようにしている。また、射出用光学素子３８からなるセルの配置個数を、光入射側端面１１側ほど少なく、そこから平均導光方向Ｆの下流側に行くほど多くなるようにしている。
【００６０】
また、別の例を図１１に示す。図１１に示すように、導光板１０の射出面２６またはその対向面２７には、多数の射出用光学素子３８および拡散性光学素子３９が互いに入り交じって配置している。ここで、各射出用光学素子３８および各拡散性光学素子３９のおのおのがそれぞれセルに相当している。そして、拡散性光学素子３９からなるセルの大きさを、光入射側端面１１側ほど大きく、そこから平均導光方向Ｆの下流側に行くほど小さくなるようにしている。また、射出用光学素子３８からなるセルの大きさを、光入射側端面１１側ほど小さく、そこから平均導光方向Ｆの下流側に行くほど大きくなるようにしている。
【００６１】
更にまた、別の例を図１２に示す。図１２に示すように、導光板１０の射出面２６またはその対向面２７に、拡散性光学素子３９を配置するための拡散素子用領域４２と、射出用光学素子３８を配置するための射出素子用領域４３とを設ける。拡散素子用領域４２は、平均導光方向Ｆに向かって刃先が細くなるような櫛刃状をしており、拡散素子用領域４２が配置された面において、拡散素子用領域４２以外の領域は射出素子用領域４３としている。したがって、このように拡散素子用領域４２と射出素子用領域４３とが交互に入り組んだ面の拡散素子用領域４２に拡散性光学素子３９を、射出素子用領域４３に射出用光学素子３８を配置することによっても、射出用光学素子３８の配置密度が光入射側端面１１から離れるに従って大きくなり、拡散性光学素子３９の配置密度が光入射側端面１１から離れるに従って小さくなる。
【００６２】
このようにすることで、導光板１０の各位置における射出用光学素子３８や拡散性光学素子３９の配置密度を、簡便に最適化することが可能となり、第１の実施の形態と同様の効果を有しながら、より簡便かつ正確に均一な射出光分布を実現することが可能となる。
【００６３】
特に図１２に示すように、拡散素子用領域４２と射出素子用領域４３とが交互に入り組んだ構成とすることにより、射出用光学素子３８が導光板１０の光入射側端面１１から平均導光方向Ｆに沿って離れるに従って配置密度が大きくなり、拡散性光学素子３９が光入射側端面１１から平均導光方向Ｆに沿って離れるに従って配置密度が小さくなるようにすることが容易に実現でき、導光板１０の射出面２６内で均一な射出光分布を極めて容易かつ確実に得ることができる。
【００６４】
一方、図１０および図１１に示すように、導光板１０上において射出用光学素子３８と拡散性光学素子３９とが入り交じって配置するようにすることによって、小領域に射出用光学素子３８と拡散性光学素子３９とが含まれるようにし、射出面２６上の小さい領域同士の射出光の均一性を一層向上し、すなわち導光板１０全体としての均一性が保証される。
【００６５】
ここで、図１０、図１１、および図１２では、セルの外形形状として、図１３（ａ）にその拡大図を示すような長方形状としているが、セルの外形形状は、長方形状に限定されるものではなく、図１３（ｂ）に示すような楕円形状や、図示していないが円形状であってもよい。また、同一の導光板１０に配置されるセルは全て同一形状であっても、長方形状と円形状と楕円形状とが混在していても良い。最適な設計例としては、拡散性光学素子３９のセルは平均導光方向Ｆに長く、それと直交する方向Ｆに短い形状を持ち、射出用光学素子３８のセルは平均導光方向Ｆに短く、それと直交する方向Ｒに長い形状を持つようにすれば、それぞれの光学的機能をセルの形状による回折効果によってサポートすることができる。
【００６６】
また、各セルの大きさとしては、肉眼でも観察できるほど大きな値にしてしまうと見栄えが損なわれてしまうため、本実施の形態では、１００μｍ以下としている。１００μｍ以下の大きさでは肉眼では観察できないために、見栄えを損なうことはなく、好適である。
【００６７】
一方、セルの形状による回折の効果について、フラウンホーファー回折による開口大きさと回折光の拡がり幅との関係を示す図１４を用いて説明する。
【００６８】
図１３（ａ）に示すような矩形開口のフラウンホーファー回折による光強度分布は下記式で計算でき、それぞれ矩形開口の辺に直交した方向Ｉ（ｘ、ｙ）に、開口の大きさに依存した光の拡がりが生じることが分かる。
【数２】
2006040627.tif 000004
【００６９】
このとき、光の波長をλ、矩形開口の大きさを直交する２方向（ｘ方向、ｙ方向）においてそれぞれＤｘ、Ｄｙ、開口から光強度を観察する面までの距離をＲとしている。Ａは矩形開口の大きさに依存しない値であるので、ここでは定数として扱える。ここで、sinc関数は、  
【数３】
2006040627.tif 000005
【００７０】
である。
【００７１】
従って、本発明においてはセルの大きさが開口に相当するので、セルの大きさに従ってｘ方向、ｙ方向に１次回折光の拡がり方を制御することができる。特に射出用光学素子３８の場合は、回折格子による１次回折光がこのような拡がりを持つことになり、特定方向の射出光の拡がりをセルの大きさによっても制御することができることになる。また、拡散性光学素子３９の場合は、拡散光が更にこのような拡がりを持つことになるので、特定方向の拡散性を更に強めるように設計することもできる。
【００７２】
具体的には、ｘ方向を平均導光方向Ｆとすると、ｘ方向におけるセルの大きさが１００μｍの場合、５００ｎｍの波長λに対して、３００ｍｍ離れた位置で、回折光の拡がり（回折光のピークを中心に最初に強度が０になるところ同士の幅）は約３ｍｍとなる。一方、ｘ方向におけるセルの大きさが５μｍの場合には、回折光の拡がりは約６０ｍｍとなる。また、ｘ方向におけるセルの大きさが１０μｍの場合には、回折光の拡がりは約３０ｍｍとなる。上記条件において、これらをグラフにすると図１４に示す通りとなる。
【００７３】
従って、セルの大きさが５μｍ以上１００μｍ以下の範囲であれば、回折光の拡がりを６０ｍｍから３ｍｍまでと、現実的に十分な範囲に亘って制御することができる。更にセルの大きさを５μｍ以下とすると、更に拡がりを大きくすることも可能である。射出用光学素子３８の場合、セルの内部に形成した回折格子を効果的に機能させるために５μｍ以上であることが望ましいが、拡散性光学素子３９では、粒状のものや、凹凸パターンで形成することによって１μｍまで小さくしてセルの大きさによる拡散性を積極的に活用してもよい。
【００７４】
以上から、セルの各方向における長さにより回折光の拡がり幅を制御することが可能となり、本実施の形態に係る照明装置から射出する照明光の拡がり方を適宜設計することが可能となる。特に、白色光を照明光として射出する場合に、射出用光学素子３８の回折格子によって回折光が分光する度合いは上記（１）式により求められるが、格子ベクトル方向ｖのセルの長さＤｘを十分に小さくすることで、回折光の拡がり幅を大きくし、分光の影響を抑制することもできる。
【００７５】
また、セルの外形形状を、導光板１０上で同一とすることで、回折光の拡がり方の均一化を図ることができる。あるいは、大きさや形状の異なるセルや、導光板１０の表面における配置方向を異とするセルによって、セル形状に依存する回折光の拡がり方を任意に制御することができる。
【００７６】
例えば、セルの形状を長方形とすることにより、長方形の各辺に直交する方向へのみ回折光を拡がらせることができ、拡がり方を当該方向における長方形の大きさで制御することができる。従って、２方向への射出光の拡がり方を自由に設計可能である。一般的には、導光板１０の平均導光方向Ｆに対して、一組の辺を直交するように長方形を配置し、各辺に直交する方向の射出光の拡がり方を制御するのが望ましい。これにより、平均導光方向Ｆとそれに直交する方向Ｒの射出光の拡がり方を独立に設定し、適宜、拡散する方向や強さを制御したり、射出光の角度範囲を制御したり、回折格子による波長分散効果を打ち消したりできる。
【００７７】
また、セルの形状を円形もしくは楕円形とすることにより、あらゆる方向に拡がりを持つ射出光を実現できる。その際、セルの大きさにより射出光の拡がり方を制御できる。また、楕円形の場合には、長軸、短軸に直交する方向への回折光の拡がり方を、当該方向における大きさで制御することができる。従って、２方向への射出光の拡がり方を自由に設計可能である。一般的には、導光板１０の平均導光方向Ｆに対して、片方の軸が直交するように配置し、各辺に直交する方向の射出光の拡がり方を制御するのが望ましい。これにより、平均導光方向Ｆとそれに直交する方向Ｒの射出光の拡がり方を独立に設定し、適宜、拡散する方向や強さを制御したり、射出光の角度範囲を制御したり、回折格子による波長分散効果を極小化できる。
【００７８】
また、セルの配置間隔を１００μｍ以下とすると、一般的な観察条件における人間の目の解像度以下となり、このような照明装置の射出面２６を目視観察した場合でも、セルの大きさは十分小さく、単位面積あたりに十分な数のセルを配置できるため、均一な射出光を出す面として観察させることができる。
【００７９】
以上、本発明の好適な実施の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００８０】
【図１】本発明の第１の実施の形態に係る照明装置の構成例を示す斜視図。
【図２】同実施の形態に係る照明装置における射出用光学素子及び拡散性光学素子の配置例を示した平面図。
【図３】点状光源から放射された光の導光状態を示す模式図。
【図４】同実施の形態に係る照明装置における拡散性光学素子の機能を示した部分平面図。
【図５】同実施の形態に係る照明装置における射出用光学素子の機能を示した側面図。
【図６】同形態に係る照明装置をバックライトとして用いた透過型ＬＣＤパネルの概念図。
【図７】直線状の回折格子パターンの平面図および断面図。
【図８】曲線状の回折格子パターンの平面図および断面図。
【図９】同実施の形態に係る照明装置の背面に反射板を使用した構成例を示す斜視図。
【図１０】多数の射出用光学素子および拡散性光学素子が互いに入り交じって配置している照明装置の一例を示す平面図。
【図１１】多数の射出用光学素子および拡散性光学素子が互いに入り交じって配置している照明装置の別の例を示す平面図。
【図１２】拡散素子用領域と射出素子用領域とが交互に入り組んだ面を備えた照明装置の一例を示す図。
【図１３】セルの形状例を示す平面図。
【図１４】フラウンホーファー回折による開口大きさと回折光の拡がり幅との関係を示す図。
【図１５】従来技術による導光体が適用されてなる照明装置を示す斜視図。
【図１６】図１５に示す照明装置が適用されてなる表示装置を示す斜視図。
【符号の説明】
【００８１】
Ｅ…射出方向、Ｆ…平均導光方向、ｄ…格子ピッチ、ｖ…格子ベクトル方向、１０…導光板、１１…光入射側端面、１２…光源、１３…プリズム、１４，１６…照明装置、１８…ＬＣＤパネル、２４…表示装置、２６…射出面、２７…対向面、３２…反射体、３８…射出用光学素子、３９…拡散性光学素子、４０，４１…回折格子、４２…拡散素子用領域、４３…射出素子用領域
【図１】
2006040627.tif 000006
【図２】
2006040627.tif 000007
【図３】
2006040627.tif 000008
【図４】
2006040627.tif 000009
【図５】
2006040627.tif 000010
【図６】
2006040627.tif 000011
【図７】
2006040627.tif 000012
【図８】
2006040627.tif 000013
【図９】
2006040627.tif 000014
【図１０】
2006040627.tif 000015
【図１１】
2006040627.tif 000016
【図１２】
2006040627.tif 000017
【図１３】
2006040627.tif 000018
【図１４】
2006040627.tif 000019
【図１５】
2006040627.tif 000020
【図１６】
2006040627.tif 000021